(57)【要約】【課題】テール端部の剥離性とテール端部の引き出し方向の視認性を向上させる。【解決手段】  テール端部がロール部の外表面に止着されているロールペーパーであって、前記止着が、ロール幅方向に沿って配された複数の接着部によってなされ、各接着部の形状が、一方端に向かって狭窄する狭窄部を有する形状をなし、その各接着部のその狭部側がテール端縁側に位置されているロールペーパーにより解決される。【選択図】図１
2009268534.tif 000002
【特許請求の範囲】
【請求項１】
テール端部がロール部の外表面に止着されているロールペーパーであって、
前記止着が、ロール幅方向に沿って配された複数の接着部によってなされ、
各接着部の形状が、一方端に向かって狭窄する狭窄部を有する形状をなし、
その各接着部のその狭部側がテール端縁側に位置されている、
ことを特徴とするロールペーパー。
【請求項２】
前記接着部は、台形、矢印、三角形の形状をなしている請求項１又は２記載のロールペーパー。
【請求項３】
前記接着部は、非着色の接着剤により形成されたものである請求項１又は２記載の機足のロールペーパー。
【発明の詳細な説明】
【技術分野】
【０００１】
本発明は、トイレットロール、キッチンロール等のロールペーパーに関する。
【背景技術】
【０００２】
この種のロールペーパーは、未使用状態において、テール端縁からの意図しない巻き解きを防止すべく、テール端部をロール部外表面に止着する処置がとられている。
テール端部の接着は、一般に、ロールペーパー製造時に切り離された切りっ放し端（テール端縁）から所定長変位した位置で、ペーパー全幅に亘って線状の糊を付することで行われる（下記、特許文献１〜６等）。
【特許文献１】実開昭５８−００８３９６
【特許文献２】実開昭６０−０１４７９６
【特許文献３】実開昭６０−０２０８９３
【特許文献４】実開昭６２−１８１２９５
【特許文献５】特開２００２−１２５８８０
【特許文献６】特開２００２−２２７０９９
【発明の開示】
【発明が解決しようとする課題】
【０００３】
しかしながら、従来のペーパー全幅に亘って線状の糊を付するテール端部の止着形態では、接着位置対してテール端縁側の自由部分がいずれに位置しているのが視認し難く、直感的に自由部分を摘む操作をし難かった。
また、テール端部が止着されているロールペーパーの形状は単純な円筒形であるため、従来のロールペーパーの止着形態であると、テール端部の引き出し方向が理解できず、ホルダーに回転方向を誤ってセットしてしまうセットミスを誘発することがあった。
さらに、従来の止着形態では、テール端部を剥離する際に接着部分の全ての範囲に亘って完全に剥離せずに、一部が剥離せずに長さ方向に裂けてしまうことがあった。
このような裂けは、トイレットペーパーのように、非常に薄く、しかも水解性を必要とするペーパーで特に顕著であり、かかるペーパーでは、テール端部をロール部外表面から剥がす作業を極めて慎重に行う煩雑な操作を要している。
そこで、本発明の主たる課題は、回転方向や自由部分の位置を視認しやすく、しかもテール端部の剥離性に優れるロールペーパーを提供することにある。
【課題を解決するための手段】
【０００４】
上記課題を解決した本発明及びその作用効果は次記のとおりです。
＜請求項１記載の発明＞
テール端部がロール部の外表面に止着されているロールペーパーであって、
前記止着が、ロール幅方向に沿って配された複数の接着部によってなされ、
各接着部の形状が、一方端に向かって狭窄する狭窄部を有する形状をなし、
その各接着部のその狭部側がテール端縁側に位置されている、
ことを特徴とするロールペーパー。
【０００５】
＜請求項２記載の発明＞
前記接着部は、台形、矢印、三角形の形状をなしている請求項１又は２記載のロールペーパー。
【０００６】
＜請求項３記載の発明＞
前記接着部は、非着色の接着剤により形成されたものである請求項１又は２記載の機足のロールペーパー。
【発明の効果】
【０００７】
以上のとおり、本発明によれば、回転方向や自由部分の位置を視認しやすく、しかもテール端部の剥離性に優れるロールペーパーが提供される。
【発明を実施するための最良の形態】
【０００８】
次いで、本発明の実施の形態を、トイレットロールを例に図面を参照しつつ以下に詳述する。なお、本発明は、このトイレットロールに限られるわけではない。例えば、キッチンロール、ロール状ワイプ等であってもよい。
【０００９】
図１に、本形態のトイレットロールＸ１の斜視図を示す。
この本形態のトイレットロールＸ１のテール端部１０は、テール端縁Ｔｅから所定長離間した位置が接着部１３によってロール部の外表面１２に接着されて止着されている。
【００１０】
この接着部１３は後述する接着剤の塗布などにより形成される。
本発明においては、特徴的に前記接着部１３がロール幅方向に沿って複数並列されているとともに、各接着部１３，１３…の形状が一方端に向かって狭窄する狭窄部１３Ａを有する形状をなしており、そのうえ各接着部１３，１３…のその狭窄部１３Ａの狭部側１３ａがテール端縁Ｔｅ側に位置している。
【００１１】
このように接着部１３の形状を狭窄部１３Ａを有する形状としたことで、当該部分を使用者が視認したときに狭部１３ａ側を始端又は先端方向として認識して、使用者が直感的に前記接着部１３の狭部側にあるテール端部の自由部分Ｆを摘む動作がされやすくなる。
【００１２】
なお、本発明においては接着部１３における狭窄部１３Ａの位置は限定されないが、特に好ましくは、図示例の矢印形状の如く前記狭窄部１３Ａが当該接着部１３のテール端縁Ｔｅ側に位置しているのがよい。より、直感的に始端などは認識されやすくなる。
【００１３】
ここで、かかる狭窄部１３Ａを有する接着部１３の形状の具体例としては、図１に示す矢印形状が代表的で好適あるが、これに限らず図２に示すように三角形状、図３に示す台形状等が例示できる。
【００１４】
これらの矢印等の形状は、見慣れた形状であり直感的にその狭部側を始端側とし、また回転方向を認識することができる。従って、回転方向を間違えずにホルダーにセットすることができるとともに、自由部分Ｆを確実につまむことができるようになる。
【００１５】
ここで、各接着部１３は、接着性及び剥離性を十分に確保すべく０．２５〜２．５ｃｍ2程度の面積とするのがよい。
また、接着部は、ロール端縁Ｔｅから接着部までの距離Ｌ１は、概ね５〜２５ｍｍ程度とするのがよい。接着部１３よりテール端縁側の自由部分Ｆが十分な長さとなって摘みやすくなる。
さらに、幅方向に隣接する接着部１３，１３同士の離間距離Ｌ２は２〜１５ｍｍとするのがよい。１５ｍｍを超えると意図せずテール端部が剥離するおそれが高まり、２ｍｍ未満であると狭窄部形状とした効果が十分に得られず剥離の際に破断するおそれが高まる。
また、剥離位置及び回転方向を認識できるようにするとともに、剥離の際の意図しない破断を防止してスムーズはテール端部の剥離がなされるように、狭窄部の形状については、特に狭部側を鋭端とし、拡部側の幅Ｌ３を５〜１５ｍｍ程度、長手方向の長さを５〜３０ｍｍとするのがよい。狭窄部１３Ａの視認性が高まり、本願発明の効果がより確実なものとなる。
【００１６】
ここで、本形態のトイレットロールＸ１は、長尺のトイレットパーパー原紙を巻取り機で巻き取り、端部を処置して形成される。巻取りの方法は既知に技術による。
【００１７】
トイレットペーパー原紙の構成も既知の技術により適宜設計できる。例えば、坪量や密度、紙厚などは製品に応じて適宜設計することができる。なお、坪量等ペーパー自体の設計は、トイレットロールに限らず、本発明をキッチンロール等の製品に適用する場合においても、適宜既知の技術によって設計することができる。
【００１８】
トイレットペーパー原紙における１プライ、２プライといったプライ設計も同様である。ただし、本発明においては、２プライ以上のものについても、便宜上一枚のシートと表現される。
【００１９】
ここで、プライ構造とする場合には、好適にトイレットロールを構成する連続衛生薄葉紙の両側縁からそれぞれ所定位置に連続的に配されるエッジエンボスによって複数プライを一体化するのがよい。そして、その際に本発明の効果をより助長するために、そのエッジエンボスＥとして、以下のエッジエンボス形態を採用するのが望ましい。
【００２０】
この望ましいエッジエンボスは、例えば、図４に示されるように、エッジエンボスＥの平面視形状を前記接着部と同様に狭窄部を有する形状とし、その狭窄部の狭部側が常に巻き外面のテール端縁側に位置するようする。
【００２１】
エッジエンボスＥの形状と接着部の形状とを必ずしも同一にする必要はないが、同一のほうが統一感が得られる。
ここでエッジエンボスＥは、図示されない多数の単位凹エンボスの集合によって形成され、この単位凹エンボスのエンボス密度等は適宜設計による。但し、エッジエンボスの形状が効果的に視認されるようにするために、概ねエンボス密度が１０〜３０個／１０ｍｍ2とするのが望ましい。単位凹エンボスの深さ等はペーパー原紙との関係で適宜定めればよい。
【００２２】
他方、本発明においてはペーパー自体の設計、巻き作業については特に限定されるものではない。既知のトイレットロールの製造方法により帯状の連続衛生薄葉紙をロール状にすればよい。
【００２３】
他方、本形態のトイレットロールＸ１を製造するにあたってのテール端部１０の処置は、例えば、以下のようにする。
まず、テール端部１０をロール部から若干引き出したのち、そのテール端縁Ｔｅから変位した位置に、接着剤を本発明にかかる接着部１３の形状に塗布する。
接着剤の塗布は、スプレー塗布、印刷による塗布など、凸版による塗布などが採用できる。シートに対して適宜の形状で接着剤を塗布しうる接着剤塗布方法を用いることができる。
【００２４】
ここで、接着剤の種類は、この種のロールペーパーのテールシールに用いられている既知に接着剤の中から適宜選択することができる。好ましくはポリビニルアルコール、水等である水解性を確保するのであれば、水性接着剤の使用が望ましい。
【００２５】
ここで接着部１３を構成する接着剤については、好ましくは非着色の接着剤とするのがよい。テール端部１０の下層のロール部分が着色されなくなり、テール端部１０を剥離した後の見栄えや、ペーパーに付与した模様の見栄えを低下させることがなくなる。
【００２６】
この接着剤の塗布の際には、その塗布量や塗布圧を調整し、テール端縁から所定距離離れた位置の内面側（ロール部対面側）にまで浸透させるようにする。具体的な塗布量は、ペーパーの坪量等に応じて適宜調整するが、後述するロール部外表面への当接させたときに、ロール部内に過度に浸透しない程度の量とするのがよい。
【００２７】
接着剤を塗布して、ペーパーの内面側にまで接着剤が浸透されたならば、テール端部１０をロール部外表面１２に当接させて、前記テール端部１０をロール部外表面に対して接着させる。
【００２８】
このようにテール端部１０の外表面側に接着剤を塗布して、内面側にまで浸透させ、その浸透した接着剤により折り重ね部がロール部外表面に接着されるようにすることで、折り重ね部とロール部外表面との間の剥離強度が、折り重ね部の対面部分間の剥離強度よりも弱くなる。
かくして、本形態のトイレットロールＸ１は製造される。
以上の本発明にかかるトイレットペーパーでは、自由部分Ｆの位置及び回転方向を直感的に認識しやすく、前記自由部分を摘みやすく、また、回転方向を間違えずにホルダーにセットすることができる。
【産業上の利用可能性】
【００２９】
この本発明は、トイレットペーパー、キッチンペーパー等の帯状の連続薄葉紙を巻き取ったロールペーパーに対して特に適するが、これに限らず、帯状のシートを巻き取ったロール状物の端部処理に利用可能である。
【図面の簡単な説明】
【００３０】
【図１】本発明のトイレットロールの斜視図である。
【図２】接着部の他の形状を示す平面図である。
【図３】接着部の他の形状を示す平面図である。
【図４】エッジエンボスを表した本発明のトイレットロールの斜視図である。
【符号の説明】
【００３１】
１０…テール端部、１２…ロール部外表面、１３…接着部、１３Ａ…狭窄部、１３ａ…狭部側、１３ｂ…拡部側、Ｌ１…ロール端縁Ｔｅから接着部までの距離、Ｌ２…接着部１３，１３同士の離間距離、Ｌ３…拡部側の幅、Ｌ４…狭窄部の長さ、Ｔｅ…テール端縁、Ｆ…自由部分、Ｘ１…トイレットロール。
【図１】
2009268534.tif 000003
【図２】
2009268534.tif 000004
【図３】
2009268534.tif 000005
【図４】
2009268534.tif 000006